(57)【要約】【課題】室内に吹出す二列の長方形の吹出口を有する空気調和機に組み込まれるダクトを、軽量にして取り扱いが簡便で組み立て作業も容易である空気調和機を提供する。【解決手段】室内に吹出す二列の長方形の吹出口を有する空気調和機において、空調された空気供給手段の送風供給口から前記吹出口までを繋ぐダクトであって、該ダクトは前記二列の吹出口に連接する通風路を単一の通風路にして前記空調供給手段の送風供給口に連接し、前記吹出口の近傍には吹出口での風量を均一にする為の邪魔板と内壁膨出部を設け、前記送風供給口と吹出口までを発砲スチロールでダクト全体を一体成形し、該ダクトの発砲スチロールは断熱作用を有する厚さとし、前記吹出口外枠は前記発泡スチロールの下部表面を覆う薄板のパネルからなる空気調和機である。【選択図】図５
2004225972.tif 000002
【特許請求の範囲】
【請求項１】
室内に吹出す二列の長方形の吹出口を有する空気調和機において、空調された空気供給手段の送風供給口から前記吹出口までを繋ぐダクトであって、該ダクトは前記二列の吹出口に連接する通風路を単一の通風路にして前記空調供給手段の送風供給口に連接し、前記吹出口の近傍には吹出口での風量を均一にする為の邪魔板と気流を水平方向に吹き出すための内壁膨出部を設け、前記送風供給口と吹出口までを発砲スチロールでダクト全体を一体成形し、該ダクトの発砲スチロールは断熱作用を有する厚さとし、前記吹出口外枠は前記発泡スチロールの下部表面を覆う薄板のパネルからなることを特徴とする空気調和機。
【発明の詳細な説明】
【０００１】
【発明の属する技術分野】
本発明は、室内に吹出す二列の長方形の吹出口を有する空気調和機において、空気調和機内に組み込まれたダクトの技術分野に属する。
【０００２】
【従来の技術】
従来、天井に取り付けられて二列の吹出口を有する空気調和機は、二列の吹出口としてそれぞれにスチール製の吹出しダクトを設け、それぞれのダクトの内周壁には断熱材を設けており、例えば、吹出口の外周をスチール板で構成し、その内周に発泡スチロールを配置し、スチール板と発泡スチロールとの間には半独半連気泡を介在させて密封したものが知られており（特許文献１）、他にも、ダクトの主材料を発泡スチロールとしたものが知られている（特許文献２）。
ところが、これらのダクトは外周をスチール等の金属を使用しているため重量が大きく、空気調和機に組み込むための作業においても、大きいことと相俟って取り扱いが面倒であり、また、空気調和機の内部に組み込むことから形状が複雑になるため製作もやっかいであり、製作工程も複雑で多くなるという不都合から、本出願人は、外周にスチール等の金属を用いず、吹出口部材と前記送風供給口とに発砲スチロールでダクト全体を一体成形した空気調和機を提案している（特許文献３）。
【０００３】
【特許文献１】
特開平９−１８９４２８号公報
【特許文献２】
特開平６−１８５８８２号公報
【特許文献３】
特開２００２−２３５９４８号公報
【０００４】
【発明が解決しようとする課題】
しかしながら、前記の特開２００２−２３５９４８号の提示されたダクトは、それまでのものに比較して軽量になり、空気調和機に組み込むための作業も簡便となったが、ダクトに大型で重量のある吹出部材を組み付けなければならず、空気調和機全体としての軽量化や組み立て容易性が十分ではないという問題点があった。
【０００５】
本発明は、上記の問題点に鑑みてなされたもので、その課題は、室内に吹出す二列の長方形の吹出口を有する空気調和機において、空気調和機内に組み込まれるダクトをより軽量として、取り扱いが極めて簡便で組み立て作業も容易である空気調和機を提供するものである。
【０００６】
【課題を解決するための手段】
上記の課題を解決するために、本発明は、室内に吹出す二列の長方形の吹出口を有する空気調和機において、空調された空気供給手段の送風供給口から前記吹出口までを繋ぐダクトであって、該ダクトは前記二列の吹出口に連接する通風路を単一の通風路にして前記空調供給手段の送風供給口に連接し、前記吹出口の近傍には吹出口での風量を均一にする為の邪魔板と気流を水平方向に吹き出するための内壁膨出部を設け、前記送風供給口と吹出口までを発砲スチロールでダクト全体を一体成形し、該ダクトの発砲スチロールは断熱作用を有する厚さとし、前記吹出口外枠は前記発泡スチロールの下部表面を覆う薄板のパネルからなることを特徴とする空気調和機である。
その作用は、ダクトをきわめて軽量にできて、きわめて安価に製作でき、かつ、取り扱いがきわめて簡便で組み立て作業も容易となる。
【０００７】
【発明の実施の形態】
本発明の好適な空気調和機の１実施例を図面に沿って説明する。
図１は実施例の空気調和機の全体を示すもので、図１（ａ）は側面図、図１（ｂ）は図１（ａ）でのＣ−Ｃ線での断面図、図１（ｃ）は室内から天井をみた空気調和機の底面図である。
本実施例の組み立てられた空気調和機は図１に示すようなものであるが、図１のＤ−Ｄ線での断面図である図２と、その分解図である図３に示すように、実施例の空気調和機は、主に空気調和機本体１と天井パネル２と発砲スチロールダクト３からなっている。
天井パネル２は、図１（ｃ）に示されるように、天井Ｆに取り付けられるもので薄板の金属あるいは合成樹脂から形成され、中央パネル２１の左右に、室内の二方向に吹出す二列の長方形の吹出口２２ａ、２２ｂが設けられ、その内側には二列の長方形の吸込口２３ａ，２３ｂが設けられており、まず、室内の吸気空気Ａは吸込口２３ａ，２３ｂより吸い込まれ、図１（ｂ）に示されるように、吸込口２３（２３ａ，２３ｂ）の上方に設けられたフィルター４を通過し、吸い込まれた空気はフィルター４によって清浄化されファン１１に吸引されるとともに、ファン１１によって熱交換機１２に供給され、空気供給手段たるファン１１および熱交換機１２によって空調された空気は、送風供給口１７からこれに連接した発砲スチロールダクト３の供給連結口３１に供給され、送風供給口１７からの空調された空気は発砲スチロールダクト３内で大きく二手に分流されて、天井パネル２の吹出口２２ａ，２２ｂから室内に吹き出され環流することになる。
【０００８】
天井パネル２と外枠の外枠パネル２４は、図２に示されるように、発砲スチロールダクト３の底面Ｔとに接しており、この外枠パネル２４の縁部は、図３（ｄ）の拡大断面斜視図に示すように、天井Ｆに接する外枠部２４１と内側に吸引口２３（２３ａ，２３ｂ）を形成する内枠部２４２からなり、その間には天井側に延びる嵌合片２４３、２４４が設けられ、ダクト３の底面に設けられた排出口３２の嵌合片３２１及び嵌合溝３２２に嵌合し、組立が容易になるように構成され、内枠部２４２の更に内側には吸引口２３（２３ａ，２３ｂ）を形成する内枠パネル２５がダクトの底面の外周、及び、排出口３２ａ，３２ｂの吸引口２３ａ，２３ｂ側の外周を覆うように配設されている。
このよに、外枠パネル２４と内枠パネル２５とは発砲スチロールダクト３が露出するのを防ぎ、外観の美観を損ねるのを防ぐためのものであるから、組立が容易になるように薄い軽量の板状体で製造されている。
【０００９】
次に、上記の全体構成の各部材の構成を、図面に沿って更に詳しく説明するが、まず、空気調和機本体１には、図１（ｂ）、図２乃至図４に示されるように、ファン１１と熱交換機１２が配置され、内周壁に断熱材を配置した枠体１３に覆われており、室内からの空気を吸気室１４を介してファン１１の側面から吸い込み、ファン１１の前面から供給室１６に送風するが、供給室１６の底部に皿状のドレインパン１５が配置されており、ドレインパン１５の水は集められてドレイン排水口１５１から外部に排出される。また、供給室１６の中央には熱交換機１２が配置されており、ファン１１からの空気が熱交換機１２に送風され、熱交換機１２によって空調された空気は送風供給口１７、及び、これに連結された発砲スチロールダクト３に送風される。ここで、送風供給口１７の連結口の形状と発砲スチロールダクト３の供給連結口３１の形状とは同型であって送風空気が漏れない構造としている。
【００１０】
この発砲スチロールダクト３は、図５、図６に示されるように発砲スチロールで一体に成形されたものであり、断面の厚さは、強度と断熱作用の面から好ましくは５ｍｍ以上がよく、通路の大きさや全体の大きさの面から好ましくは４０ｍｍ以下の範囲がよく、本実施例では１０ｍｍ程度である。発砲スチロールダクト３の供給連結口３１と送風供給口１７の開口形状は、細長い長方形であるが、空気抵抗が少なくなるように出来るだけ大きな断面積としており、供給連結口３１からの通風路は排出口３２に連通するが、この供給連結口３１からの通風路は、途中で二つの通風路３３，３４に分岐して、一つは直下の天井パネル２の左側吹出口２２ａとともに排出口３２ａを形成し、もう一つの通風路３４は更に水平に二手に分かれた通風路３４ａ，３４ｂを形成し、この二手に分かれた通風路３４ａ，３４ｂは排出口３２ｂの上部で再び合流して排出口３２ｂを連通して天井パネル２の左側吹出口２２ｂを形成している。
【００１１】
前記通風路３４を水平に二手に分かれた通風路３４ａ，３４ｂとしたのは、発砲スチロールダクト３の平面中央部はくり抜かれた空間（Ｘ〜Ｚ）を形成して吸気室１４の一部を構成するためであり、本実施例においては、この発砲スチロールダクト３に形成した吸気室１４の底面に水平のエアフィルター４が配置されている。
また、二つの通風路３３，３４の分岐路３５には必要に応じて邪魔板３５１が設けられ、空気の流れに対する邪魔板３５１の角度によって左右の空気分配を均一にして二手に分流され、結果として室内に吹出口２２ａ、２２ｂから均等な量の空調された空気が供給される。
この空気分配の邪魔板３５１は、壁面と所定の角度になるように固定発砲スチロールダクトと一体的に成形してあるが、成形が困難であるときは発砲スチロールダクト３の壁面に接着剤で所定の角度に固定してもよい。
また、一方の通風路３３の吹出口２２ａおよび排出口３２ａの近傍であり、邪魔板３５１の反対側の通風路３３の内壁、即ち外側寄りの内壁には内壁膨出部３６が設けられ、内壁膨出部３６に沿って気流が生じ、吹出口２２ａから水平方向に空気を吹き出す場合には容易に天井面に沿って空気を吹き出すことができる。
同様に、他方の通風路３４の吹出口２２ｂおよび排出口３２ｂの近傍の内壁には、内側の内壁には小さな内壁膨出部３７ａと、外側寄りの内壁には内壁膨出部３６と同等の内壁膨出部３７ｂが設けれられ、内壁膨出部３７ａ，３７ｂに沿って気流が生じ、吹出口２２ｂから水平方向に空気を吹き出す場合には容易に天井面に沿って空気を吹き出すことができる。
さらに、通風路３３、３４の吹出口２２ａ、２２ｂおよび排出口３２ａ、３２ｂの近傍で、内側寄りの内壁３３１，３４１には風向を調整する風向調整ベーン５（図２、図４を参照）が組み付けられ、この風向調整ベーン５は複数に分割され、各風向調整ベーン５の羽根５１ａ，５１ｂは、回動軸５２ａ，５２ｂを中心に回動して固定され風向きは所望の方向になるように適宜に設定される。
この場合に、特別に回動軸は必要がなく、直接複数の風向調整ベーン５の羽根５１ａ，５１ｂを所定の角度にして内壁３３１，３４１に固着すればよい。
【００１２】
本発明および本実施例の最大の特徴は、従来スチール板と断熱材とを組み合わせたダクトと、天井パネルの吹出口２２の表面だけを除いて排出口３２までの全てを、断熱作用のある発砲スチロールダクト３のみで構成した点にある。
そのため、発砲スチロールダクト３は強度を増すために、前記二列の吹出口に連接する各通風路の適所には補強リブが設けられているが、例えば、図３及び図４に示すように、排出口３２の内周壁、および、送風供給口１７に連接する通風路である供給連結口３１の内周壁に見られるように、長方形の長さ方向に沿ってほぼ均等の間隔に補強リブ３８ａが設けられ、また、断面長方形の開口の隅部には１／４円柱の補強柱部３８ｂが設けられ、これらの形状を一体的に形成している。
図５、図６には前記補強リブ３８ａと補強円柱部３８ｂとが供給連結口３１の内周壁に設けられた状態が図示されているが、図示しないが排出口３２の内周壁にも適宜設けられおり、また、通風路３３，３４，３４ａ，３４ｂに沿って適宜設けられている。
従って、空調された発砲スチロールダクト３内での空気流は、図６に示すように、熱交換機１２からの空気Ｂ１の一方は直線的にＢ２となって左側吹出口２２ａから吹き出され、他方、邪魔板３５１等で分流された空気は更に二手Ｂ３，Ｂ４に分流され、再び合流して右側吹出口２２ｂから空気Ｂ５となって吹き出すことになる。
【００１３】
空気調和機本体１への取り付けは、空気調和機本体１の枠体１３の端部の取付部１３１と発砲スチロールダクト３のダクト取付部３９ａ，３９ｂとを長いパネル吊りボルト１８で連結し固定してある。
そして、前述したように、図３（ｄ）の拡大断面斜視図に示すように、天井パネル２の外枠の外枠パネル２４には天井面側に延びる嵌合片２４３、２４４が設けられ、この嵌合片２４３、２４４がダクト３の底面に設けられた排出口３２の嵌合片３２１及び嵌合溝３２２に嵌合して組み付ける。同様に幅方向の外枠パネルに対応して、嵌合片３２３及び嵌合溝３２４が設けられ外枠パネル２４を嵌合して組み付ける。さらに、フィルター４および風向調整ベーン５を組み付けて完成させる。
【００１４】
［作用］
本実施例は上記のような構成であるから、従来、大きく重量のあった空気調和機のダクトや排出口の部材が、発砲スチロールだけであるからきわめて軽量になり、大きな形状であっても取り扱いが簡便になり、組み立て作業が容易となり、材料費が安価で製作工程も単純であるから製作費用が安価で済む。
【００１５】
なお、本発明の特徴を損うものでなければ、上記の実施例に限定されるものでないことは勿論である。例えば、ダクトの材質を発砲スチロールとしたが、発砲スチロールでなくても、軽量で加工が容易で一体成形できるものであれば良いことは勿論である。
【００１６】
【発明の効果】
以上説明したように、本発明は、室内の二方向に吹出す二列の長方形の吹出口を有する空気調和機において、空調された空気供給手段の送風供給口から前記吹出口までを繋ぐダクトであって、該ダクトは前記二列の吹出口に連接する通風路を単一の通風路にして前記空調供給手段の送風供給口に連接し、前記吹出口の近傍には吹出口での風量を均一にする為の邪魔板と内壁膨出部を設け、前記送風供給口と吹出口までを発砲スチロールでダクト全体を一体成形し、該ダクトの発砲スチロールは断熱作用を有する厚さとし、前記吹出口外枠は前記発泡スチロールの下部表面を覆う薄板のパネルとしたので、きわめて軽量になり、大きな形状であっても取り扱いが簡便になり、組み立て作業が容易となるという効果が得られ、ダクトと吹出口までの全体を発砲スチロールで一体成形としたから、材料費も安価であり、製作工程も単純であるから製作費用が安価で済むという効果が得られる。
【図面の簡単な説明】
【図１】本発明の好適な空気調和機の実施例の全体を示すもので、図１（ａ）は側面図、図１（ｂ）はＣ−Ｃ線での断面図、図１（ｃ）は室内から天井をみた底面図である。
【図２】図１（ａ）のＤ−Ｄ線での断面図詳細な断面図である。
【図３】図１（ａ）、図５（ｂ）でのＤ−Ｄ線での断面での空気調和機の主要部分の分解図である。
【図４】図１（ａ）、図５（ｂ）でのＣ−Ｃ線での断断面図である。
【図５】発砲スチロールダクトを示す図で、図５（ａ）は図５（ｂ）のＤ−Ｄ線での断面図、図５（ｂ）は底面図（天井からみた）、図５（ｃ）は側面図である。
【図６】発砲スチロールダクトの空気の流れを示す全体の斜視図である。
【符号の説明】
Ｆ…天井
Ａ…吸気空気
Ｂ，Ｂ１，Ｂ２，Ｂ３，Ｂ４，Ｂ５…供給空気
１…空気調和機本体、１１…ファン、１２…熱交換機、１３…枠体、
１３１…ダクト取付部、１４…吸気室、１５…ドレインパン、１５１…ドレイン排水口
１６…供給室、１７…送風供給口、１８…ダクト取り付けボルト、
２…天井パネル、２１…中央パネル、２２ａ…右側吹出口、２２ｂ…左側吹出口
２３ａ，２３ｂ…吸込口、２４…外枠パネル、２４１…外枠部、２４２…内枠部、
２４３，２４４…嵌合片、２５…内枠パネル
３…発砲スチロールダクト、３１…供給連結口、３２，３２ａ，３２ｂ…排出口、
３２１，３２３…嵌合片、３２２，３２４…嵌合溝、３３，３４，３４ａ，３４ｂ…通風路、
３３１，３４１…内側寄りの内壁、３５…分岐路、３５１…邪魔板、
３６，３７ａ，３７ｂ…内壁膨出部、３８ａ…補強リブ、３８ｂ…補強柱部、
３９ａ，３９ｂ…ダクト取付部、
４…フィルター、
５…風向調整ベーン、５１ａ，５１ｂ…羽根、５２ａ，５２ｂ…回動軸
【図１】
2004225972.tif 000003
【図２】
2004225972.tif 000004
【図３】
2004225972.tif 000005
【図４】
2004225972.tif 000006
【図５】
2004225972.tif 000007
【図６】
2004225972.tif 000008